(57)【特許請求の範囲】
【請求項１】
通信網内の送信および受信ATM交換機間における仮想パス上に組み込んだ仮想トランク・グループによって狭帯域トラヒックを搬送する装置において、
このトラヒックはフレームで搬送され、各々には、そのフレームの境界を記述するポインタが設けられており、
各交換機は、ATMスイッチと、この仮想トランク・グループの容量を制御する仮想パス制御部と、使用時に新規の呼要求を行う接続管理部と、この接続管理部と仮想パス制御部を制御する手段と、この接続管理部より接続要求を受信し、受信スイッチに対応した接続を確立し、受信および着信接続の確立をこの接続管理部に通知する組込み式プロセッサと、この組込み式プロセッサと関連し、前記送信および受信交換機間で仮想チャネルを確立するジャンクタ手段とからなり、
前記接続管理部は、接続要求に応答して、対応する容量変更の要求を管理機能部に送り、この容量変更の要求は、前記管理機能部によって仮想パス制御部に中継され、
送信スイッチの仮想パス制御部は、個々のジャンクタ手段を介して前記仮想チャネルによって、受信スイッチの仮想パス制御部と通信する手段を有し、前記容量変更をポインタ・バイオレーションの形式で受信スイッチへ報知し、送信および受信スイッチ双方においてフレーム処理が同じ速度で行われるようにすることを特徴とする装置。
【請求項２】
トラヒック需要の日々のパターンを記録する手段を有し、需要パターンに整合するよう前記容量が調整されることを特徴とする請求項１記載の装置。
【請求項３】
前記記録手段は、知識ベースのシステムを備えることを特徴とする請求項２記載の装置。
【請求項４】
前記スイッチの各々は、受信したATMセルを格納するバッファを有し、このバッファに格納されたセルの数は、そのセルを受信した仮想パスの現在の容量あるいは速度に整合するよう調整可能であることを特徴とする請求項１乃至３のいずれかに記載の装置。
【請求項５】
通信網内の送信および受信ATM交換機間における仮想パス上に組み込んだ仮想トランク・グループによって狭帯域トラヒックを搬送する方法において、
このトラヒックはフレームで搬送され、各々には、そのフレームの境界を記述するポインタが設けられており、
各交換機は、ATMスイッチと、この仮想トランク・グループの容量を制御する仮想パス制御部と、使用時に新規の呼要求を行う接続管理部と、この接続管理部と仮想パス制御部を制御する手段と、この接続管理部より接続要求を受信し、受信スイッチに対応した接続を確立し、発信および着信接続の確立をこの接続管理部に通知する組込み式プロセッサと、この組込み式プロセッサと関連し、前記送信および受信交換機間で仮想チャネルを確立するジャンクタ手段とからなり、
前記接続管理部は、接続要求に応答して、対応する容量変更の要求を管理機能部に送り、この容量変更の要求は、前記管理機能部によって仮想パス制御部に中継され、
送信スイッチの仮想パス制御部は、個々のジャンクタ手段を介して前記仮想チャネルによって、受信スイッチの仮想パス制御部と通信する手段を有し、前記容量変更をポインタ・バイオレーションの形式で受信スイッチへ報知し、送信および受信スイッチ双方においてフレーム処理が同じ速度で行われるようにすることを特徴とする方法。
【請求項６】
仮想パスにおける容量変更は、そのパスを切断せずに行うことを特徴とする請求項５記載の方法。
【請求項７】
前記容量の調整は、経路使用について得られた履歴に基づく所定の方法によって行われることを特徴とする請求項５または６に記載の方法。
【発明の詳細な説明】
発明の分野
本発明は、ディジタル通信システムに関し、特に非同期転送モード（ATM）技術を具体化するシステムに関するものである。
発明の背景
非同期転送モード（ATM）技術は、柔軟性のある伝送形態であり、いかなる形式のサービス・トラヒック、音声、ビデオあるいはデータをも多重化して伝送共通媒体上にのせる。これを実現するため、通常サービス・トラヒックは、まず５バイトのヘッダと48バイトのペイロードからなる53バイトのセルに変換される必要があり、これにより、最初のトラヒックがATM網の遠端で再構成できるようにする。この形式変換は、ATMアダプテーション・レイヤ（AAL）において行われる。
ATM交換機は、Ｂ−ISDNサービスだけでなく、POTSあるいはISDNサービスをサポートする。各64kb/sチャネル上に独立した呼がある、2Mb/sのトランク回路を有するATM交換機では、一旦ATMに変換されたトラヒックは、相手先の狭帯域ポートに至るまで、ATMのままであることが望ましい。さらに望ましいのは、例えば、155Mb/sが、一般的には狭帯域サービス網内での中継には、あまりに大きい容量であると考えられるので、たとえば、155Mb/sの物理的なトランクは、１つ以上の宛先へ論理経路を延長すべきである。この論理経路がｎ×64kb/sの場合（ここで、ｎ≧６）、セル組立遅延は、エコー消去が不要となる程度まで低減される。１つの64kb/s回線におけるセル組立遅延は６ミリ秒であり、これにより、既存の狭帯域網との網間接続にはエコー消去が必要となる。
狭帯域交換機間の経路におけるトラヒック需要は、営業日一日の間にも大きく変化することが知られている。通常、その日の仕事が開始されたときに最繁時があり、いくぶんか需要レベルは低いが、昼食後に２度目の最繁時がある。経路の公称ピーク容量もまた、年間を通して大きく変化する。住宅地における経路は異なるピーク時を有するが、同じ程度にダイナミックに変化する。この輻輳状態を避けるとなると、確実に需要ピークに応えることができるような不経済な資源の準備が必要となる。この問題への取り組みにおいて、特定のサービスからのトラヒックをサポートするのに使用されるパス容量を、例えば、時刻のようなサービス需要に応じてダイナミックに変えることが提案された。このような技術は、ヨーロッパ特許EP−A2−0635958号の明細書や米国特許US−A1−5271005号の明細書に記載されている。
本発明の目的は、呼ごとに仮想トランク・グループの容量を制御するよう改善されたシステムと方法を供給することである。
発明の概要
本発明の一態様によれば、通信網内の送信および受信ATM交換機間における仮想パス上に組み込んだ仮想トランク・グループによって狭帯域トラヒックを搬送する装置において、このトラヒックはフレームで搬送され、各々には、そのフレームの境界を記述するポインタが設けられており、各交換機は、ATMスイッチと、この仮想トランク・グループの容量を制御する仮想パス制御部と、使用時に新規の呼要求を行う接続管理部と、この接続管理部と仮想パス制御部を制御する手段と、この接続管理部より接続要求を受信し、受信スイッチに対応した接続を確立し、発信および着信接続の確立をこの接続管理部に通知する組込み式プロセッサと、この組込み式プロセッサと関連し、上記送信および受信交換機間で仮想チャネルを確立するジャンクタ手段とからなり、上記接続管理部は、接続要求に応答して、対応する容量変更の要求を管理機能部に送り、この容量変更の要求は、上記管理機能部によって仮想パス制御部に中継され、送信スイッチの仮想パス制御部は、個々のジャンクタ手段を介して上記仮想チャネルによって、受信スイッチの仮想パス制御部と通信する手段を有し、上記容量変更をポインタ・バイオレーションの形式で受信スイッチへ報知し、送信および受信スイッチ双方においてフレーム処理が同じ速度で行われるようにするする装置が提供される。
本発明の他の態様によれば、通信網内の送信および受信ATM交換機間における仮想パス上に組み込んだ仮想トランク・グループによって狭帯域トラヒックを搬送する方法において、このトラヒックはフレームで搬送され、各々には、そのフレームの境界を記述するポインタが設けられており、各交換機は、ATMスイッチと、この仮想トランク・グループの容量を制御する仮想パス制御部と、使用時に新規の呼要求を行う接続管理部と、この接続管理部と仮想パス制御部を制御する手段と、この接続管理部より接続要求を受信し、受信スイッチに対応した接続を確立し、発信および着信接続の確立をこの接続管理部に通知する組込み式プロセッサと、この組込み式プロセッサと関連し、上記送信および受信交換機間で仮想チャネルを確立するジャンクタ手段とからなり、上記接続管理部は、接続要求に応答して、対応する容量変更の要求を管理機能部に送り、この容量変更の要求は、上記管理機能部によって仮想パス制御部に中継され、送信スイッチの仮想パス制御部は、個々のジャンクタ手段を介して上記仮想チャネルによって、受信スイッチの仮想パス制御部と通信する手段を有し、上記容量変更をポインタ・バイオレーションの形式で受信スイッチへ報知し、送信および受信スイッチ双方においてフレーム処理が同じ速度で行われるようにする方法が提供される。
本発明は、狭帯域の64kbs一定ビット速度と、ｐ×64kbsの一定ビット速度のトラヒック用にVC容量を拡張する方法および手段に関するものである。この容量の拡張には、以降、動的構造化データ転送と呼ぶAAL1の増強変数が使用されており、これによって、要求により、また呼ごとにVCの容量が増大される。新規の呼の受け入れは、割り当てられたVP（仮想経路）容量を管理システムの制御の下で管理する機能を処理することによって制御される。
ATM網では、柔軟性のあるAAL1プロセッサが、仮想回線によって同様のAAL1プロセッサに接続されている。この仮想回路は、ｎ×64kb/sの容量を有しており、各64kb/sチャネル、あるいは、この容量に対するＰ×64kb/sという部分的な容量を個別の通信に使用することができる。この仮想回線は、今日のディジタル網内におけるトランク・グループと同様に動作するので、「仮想トランク・グループ」と呼ばれる。多くの仮想トランク・グループは、同じ２つの終点間で接続され、仮想パスに含まれことで「仮想経路」を形成する。この網には、管理された方法によってｎ×64kb/sの容量を変えることができるメカニズムが与えられており、この方法により、確立した呼が容量変更による影響を受けないことが保証される。２つのAAL1プロセッサのクロック・システムが、同期あるいは準同期交換網に対して、AAL1データ・ストリーム中でさらにフレーム・スリップを起こさずに、通常の方法で動作できるよう、容量変更が行われる。このクロック・システムの動作によるフレーム・スリップは、今まで通り通常の方法で処理される。
仮想経路の容量は、「知識ベースのシステム」によって制御される。このシステムは、時刻、公称最大容量、そして、まとまった制約的な規定を考慮した規則に基づいて、この容量を調整する。制約的な規定とは、仮想経路のサイズの上限および下限、サービス品質の目標を規定したり、また、ネットワーク・オペレータが、それによって適応型ネットワークの性能を制御することができる手段でもある。上記の知識ベースのシステムは、少なくとも１年間をカバーする、その経路の過去の履歴について記録をとり、また、履歴の日々の変化との関連において分析した現在の傾向に基づいて、公称最大容量の予測値を調整する。設けられたその規則の範囲内で動作する上記の知識ベースのシステムは、以下の状態となるよう、仮想経路の容量を調整する。
・サービス品質の目標が満たされる。
・制御機能が、それ自身を仮想経路に対する容量要求の長期の傾向に適応させて、同じサービス品質を維持する。
・トラヒックの瞬時ピークは、制約の上限および下限内で取り扱われる。
先行技術としては、ATMアダプテーション・レイヤ１についての柔軟性のある実現方法に係る、本願出願人による同時係属の英国出願第9410294.4号（S D Brueckheimer,R H Mauger 7−６）、および、ｎ×64kb/sのAAL1仮想回線の容量とその使用を整合して、ATMスイッチとの関連において64kb/sの交換処理を可能にする手段に関する、本願出願人による同時係属の英国出願第9411894.0（S D Brueckheimer,R H Mauger,A W Oliver,R J Dean 9−８−４−１）がある。本発明は、広域網内での適応型仮想回線の使用に関し、トラヒック需要の変化に自動的に適応することができる仮想トランク・グループを提供するものである。
【図面の簡単な説明】
添付図面を参照して、本発明の実施の形態を説明する。
図１は、柔軟性のあるAAL1プロセッサの回路図である。
図２は、図１のプロセッサについての、より詳細な回路図である。
図３は、ｎ×64kb/sの仮想回線におけるｎの値の変化を示すのに、AAL1メカニズムをどのように使用することができるかを示す図である。
図４は、ATM網において、速度変更をどのように知らせるかを示す図である。
図５は、商業地域内の経路についての、通常のトラヒック需要変化を示す図である。
図６は、適応型AAL1仮想回線を仮想経路の一部としての仮想トランク・グループとして使用する１つの可能な方法を示す図である。
図７は、適応型AAL1仮想回線を仮想トランク・グループとして用いる他の方法を示す図である。
図８は、ディジタル交換網用のクロック構成を示す図である。
図９は、仮想トランク・グループのスリップ処理機能を示す図である。
図10は、知識ベースのシステムを使用して仮想経路制御を実行する手段を示す図である。
実施の形態
図１と図２はともに、ATM  AAL1の具体例を示す。通常の狭帯域通信システムにおいて、その装置のバックプレーン上で、共通STMバスを使用することができる。これは、アナログ回線あるいはISDN回線のような外部インタフェースを適合させる装置と、交換処理のような本来の機能を実行する装置との間のインタフェースとして使用される。外部のSTM1システムに適合する装置は、通常、バックプレーン上での適応機能に利用できる2048個の64Kb/sチャネルを有する。この装置の目的は、多くの、例えば、2048個の64Kb/sチャネルを、多数のｎ×64Kb/sのATM仮想回線に変換し、また、以下に述べる制約内で、64Kb/sチャネルに再変換することである。
・いずれかの64Kb/sチャネルが、いずれかのATM仮想回線と関連すること。
・Ｐ×64Kb/sチャネルのいずれかのグループが、ATM仮想回線の一部あるいは全部として一緒に組立ることができ、適応および伝送処理を通して、タイムスロット・シーケンスの一貫性を維持すること。
・AAL1標準に一致させるため、専用アプリケーションに対してｎは、１〜30の値に制限され、またｎは、システムの満杯容量までの値をとれること。
・ATM仮想回線の数ｍは、ATM  VC（仮想回線）につき１つの64Kb/s回線という限度まで、いかなる値をも取れること（この例では、１≦ｍ≦2048である）。
このメカニズムの原理は、図１に示されており、図２には、それを実現する機能ブロックが示されている。両面には処理が暗示されるが、それは図示されていない。その処理は125マイクロ秒間隔で動作し、バックプレーン上のSTMストリームを入力チェーン・メモリにストアし、出力チェーン・メモリの内容を取り出して、それをSTMストリームとしてバックプレーンに配信する。このメカニズムは、チェーン構造によって制御される。このチェーン中の各リンクは、２つの双方向ポインタと、入力あるいは出力メモリ中のアドレスの組合せとして具体化されており、各入力および出力チェーンにおいて、64Kb/sチャネル各々に１つのリンクがある。チェーンはヘッダと結合しており、各々の潜在的なｎ×64Kb/sのATM仮想回線に１つのヘッダがある。このヘッダの具体化に関係するのは、制御を目的としたチャネル・カウント、セル組立てを目的としたVC（仮想回線）識別、そして、チェーンの最初のリンクに対する双方向ポインタである。チェーンは、各々のアクティブなATM仮想回線に対して集められ、多くのリンクによって構成されている。これらのリンクは、ヘッダあるいは前のリンクに対して上方に向いたり、次のリンクに対して下方に向く双方向ポインタを用いている。各リンクは、要求されたフレーム・サンプルのフレーム・メモリ中のアドレスを有しており、割り当てられなかったリンクは、特別な「空き」ヘッダの下で形成されるチェーンの形をとる。それぞれの出力および入力チェーン処理は、125マイクロ秒周期で実行される。これらの処理では、各チェーンを順番に処理し、また、そのチェーン中の各リンクを順番に処理する。そして、音声メモリにアドレスを分配し、また、セルの組立あるいは分解処理に対してVPI/VCIを分配する。セルの組立処理に対しては、各アドレスおよび変更でフレーム・サンプルが読み取られ、それらは、セル・ペイロード内の次に使用されるバイト・ポジションにおかれる。満たされたセルは、それらのATMヘッダとAAL1  SAT−PDUヘッダとともに組み立てられ、ATM回線に乗せられる。こうして新規のセルが、その仮想回線用に生成される。
セルの分解処理では、ｎ×64Kb/sフレーム境界のAAL1からの指示を受けると、セルが一度にバイトに分解され、入力チェーン・プロセッサより分配されたアドレスに従って、フレーム・サンプルが入力メモリに書き込まれる。このセル分解処理では次に、入力および出力機能間の位相同期をチエックする。これらのチェーンは、システム制御部（図示されない）の指示下にあるチェーン更新プロセッサの制御によって更新される。このチェーン更新プロセッサは、チェーン・プロセッサとともに要求／許可メカニズムを動作させることで、チェーンは、処理と同時には変更されないことが保証される。個々の64Kb/sチャネルが変更されるとした場合、それは、チェーン中のどの点においても挿入したり、削除することができる。挿入処理では、空きチェーンからのリンクを用いる。また、削除処理では、空きチェーンにリンクを戻す。Ｐ×64Kb/sのサービスが確立される場合、チャネルは、チェーン中の連続リンクに正しい順序で挿入されなければならない。
図３と図４はともに、AAL1仮想回線の容量が適応される手段を示している。すなわち、64kビット・チャネルの割当て番号ｎを、トラヒック需要の変化に合わせる方法を示すものである。
図３は、構造化データ転送モードにおける適応型レイヤAAL1の動作を示している。従来の動作では、ポインタが125マイクロ秒フレームの境界を詳細に示すことで、ｎ×64kbの仮想チャネルの個々の64kbチャネルが確認でき、個別に取り扱うことができた。図３に示す改善された動作は、ポインタ・バイオレーションを使用して、境界の変化により仮想チャネルの容量をダイナミックに変えることができる、ということを示している。このポインタ・バイオレーションはまた、この変化の正確なフレーム・タイミングを示す。
図４は、信号処理動作全体における修正されたAAL1の動作を示しており、これは、仮想チャネル・アダプテーション・レイヤの両端が、同期して修正されることを保証する。適応型仮想ジャンクタ（AVJ）は、この修正されたAAL1機能を実行し、このAVJに関係しているのが組込み式プロセッサである。このプロセッサは、AVJ装置に関係するソフトウェア機能を実行する。全ての組込み式プロセッサは、ATM網を介して互いにメッセージを送信できる。端部にある、変更を開始したAVJは、変更を要求するメッセージを送る（１）。この変更の詳細は記録される。また、このメッセージは肯定応答され（２）、これがポインタ・バイオレーションとなって、上述したようにAAL1仮想チャネルを介して送られる（３）。これは、AVJによって仮想チャネルの他端で受信される（４）。このAVJは、その内部接続マップを更新することによって上記の変更を行い、次に、その変更を確認して（５）、本処理を完了する。
狭帯域交換機間における経路上でのトラヒック需要は、図５に示すように、営業日一日の間にも大きく変化し、通常は、仕事が始まるときに最繁時があり、昼食後、普通いくぶんか需要レベルは低いが、２度目の最繁時がある。経路の公称ピーク容量は、年間を通して大きく変化する。1000の回線チャネルを有する経路には、通常、毎秒20の接続あるいは解放があり、このことは、要求あるいはそのレベル状態に急激な減少あるいは増加があることを表している。住宅地の経路には違ったピーク期間があるが、それらも、同じ程度にダイナミックに変化する。
本願出願人による装置は、ATM網内において、仮想経路の接続を断つことなく、この仮想経路への容量の割当てについて再調整を行うメカニズムを提供する。このメカニズムを使用することで、多くの仮想トランク・グループが、仮想経路内で適応型AAL1仮想回線としてサポートされるようにする容量をATM網において生成するのに使用できる。
図６は、このような仮想経路を達成するための、可能性のある１つの方法を示すもので、ここでの仮想経路は、適応型AAL1仮想回線として実行される多くの仮想トランク・グループからなる。各仮想トランク・グループは、エコー消去を不要とするための最小容量を持っているが、この最小容量を越える要求レベルに対しては、呼ごとに適応型AAL1仮想回線の容量を64kb/sずつ変える。こうすることで、仮想トランク・グループ容量が、常に正確にトラヒック需要に適応する。仮想トランク・グループに対する変更は呼ごとに行われるが、仮想トランク・グループの組の全容量が、仮想経路を具体化している容量よりも大きくなることがないよう、この変更は抑制されている。仮想経路の容量は、かさ（傘）機能（umbrella  function）に従って仮想経路の容量に変化をもたらすメカニズムにより制御される。なお、この機能は、サポートしている知識ベースのシステムによって確立されるものである。
図７には、他の解決策が示されており、ここでは、知識ベースのシステムが直接、仮想トランク・グループを具体化している仮想回線の容量を制御しているため、仮想経路を実行する仮想パスの個々の制御が不要となる。図６に示す解決策では、呼が通信中の場合、チャネルは、仮想トランク・グループ上において持続的であることが要求されるだけであるが、図７の解決策でチャネルは、将来的な呼の発信を考慮して、仮想トランク・グループ上に存在し続ける必要がある。
ディジタル交換網は、図８に示すような３層の階層構造のマスタとスレーブ・クロックから、そのタイミングを得ている。層１におけるマスタ・クロックは、10の11乗の精度を有する原子時計である。これらは、国際同期動作の基準として使われる。層２あるいは層３のスレーブ・クロックとの交換において、層１の標準に固定された伝送システムからの信号は、ローカル・スレーブ・クロックを10の11乗の精度に固定するのに使用される。このような構成は、装置故障あるいは使用中における切断によって妨害を受けやすいため、実際のネットワークは、絶対的な同期という理想状態からは、いくぶん離れている。1.5あるいは2.0Mb/sのトランク接続を有する今日のディジタル交換機では、トランクの終端部にバッファが設けられ、これによって、送信および受信クロック間の差を吸収するようにしている。このバッファの容量は限られているので、クロックの差が永続的なものである場合、バッファは、それが空いていれば情報を繰り返し、満杯ならば、情報を削除するように調整する。この機能はスリップと呼ばれる。
仮想トランク・グループ内では、受信処理は、多くのATMセルによって構成されるバッファを維持しなければならない。AAL1構造化データ転送の適応型レイヤは、送信および受信処理間でポインタを交換し、このポインタが、ｎ×64kb/sのデータ・ストリームのフレーム境界を規定する。このため、結果として、受信側のフレーム処理速度が、送信側での処理速度と同じになる。その結果、バッファに保持されたフレームあるいは部分的なフレームの数は、ｎ×64kb/sのストリーム中の変化するｎの値に拘わらす、固定されたままである。特別な実行を行う場合、ｎは、47≦ｎ≦1024の範囲で可変である。ATMセル・バッファは、２つのフレームを保持しなければならない。すなわち、ｎ＝47に対して、２つのフレームは２つのセルに等しくなり、ｎ＝1024に対しては、２つのフレームが44個のセルに等しい。その結果、値ｎがこの範囲で変わると、受信バッファ中のセルの数も変化しなければならない、ということになる。このバッファには２つの役割がある。その１つは、ジッタやワンダ（ふらつき）、あるいはクロック周波数の絶対的な差から発生する、送信および受信クロック間のタイミング差を補償することであり、また、さらには、ATM綱の特徴であるセル遅延の変化を補償することである。このように、既存のトランク・システムのスリップ機能に類似したスリップ機能が、このATMセル・バッファよって実行できる。
図９は、スリップのメカニズムを示す。スリップは、不足（starvation）あるいはオーバフローの結果として起こるものである。新たな125マイクロ秒フレームが開始されるときに、バッファ中のデータが不充分で、新規フレームの処理を許すようなことになれば、情報フレームの反復をもたらす不足スリップが発生する。一方、バッファが満たされているときに新規のセルが到着した場合には、フレームを削除する必要がある。
重要なのは、「ｎ」が変化することによるセル・バッファ・サイズの変更が、結果として、クロックにばらつきがあるということを誤って示したり、そのために偽スリップが発生するようなことがないようにすることである。情報フレームは、セル・バッファ内でセル・ペイロードのどの点においても、開始および終了でき、「ｎ」の値がより大きければ、バッファは、さらに多くの完全なセルを包含する。「ｎ」の変化に従って、バッファ内のセル数を増したり、減少させる必要があり、図４に示す変更処理では、先にメッセージを送って、変更が意図されている旨を受信処理に対して警告する。
このメッセージが、ATMバッファを増やすべきである、ということを示していれば、直ちにバッファ・サイズを変える。しかし、このメッセージが、バッファを減らすことを示しているならば、ポインタの新規の値を受信するまで、バッファが変化しないようにする。これは、ATMの受信バッファを通じて、「ｎ」の値の変更が完了し、処理されたことを示している。このメカニズムによって、変更の意図を示すメッセージと変更の完了との間においてセル速度が変化する間、ATMの受信バッファは、常に新規のセル速度の要求するサイズより大きいか、あるいは等しく、従って、偽スリップを起こさない、ということが確実になる。
図10は、知識ベースのシステムの役割を示しており、この知識ベースのシステムは、傘機能、すなわち管理機能を制御するパラメータを毎日、提供する。この機能は、仮想経路を実現する仮想パスの容量制御をリアルタイムに実行する。この傘機能にダウンロードされるパラメータの組は、例えば、
・公称最大容量
・割当て周期の間の最大および最小容量
・割当て周期の時刻
・割当て周期用のステップ・サイズ
の形をとる。これらの規則は、次に傘機能によって使用され、容量に対する要求に応答する。このような機能の達成に知識ベースのシステムを使用でき、しかも多くの規則を実行して、傘機能についてどのような精度が要求されても提供できるということは、当業者には明らかである。
２つのATM交換機の間には単一の仮想経路があり、この仮想経路の容量は、仮想経路の制御機能によって制御される仮想パスを介して実現される。仮想トランク・グループは、適応型仮想ジャンクタ（AVJ）と呼ばれる装置によって実現される。この装置は、組込み式プロセッサを有しており、接続管理機能によって制御される。仮想経路の容量を変更する処理は、以下の一連のメッセージによって行われる。
1:新規の呼の接続要求を、接続管理部に対して行う。
2b:接続管理部の有する経路上の容量が多すぎたり、少なすぎる場合、接続管理部は、傘機能あるいは管理機能に容量の変更を要求する。
2a:容量が付加されるのを待たずに、接続管理機能は、残っている容量を使用して接続を行う。
組込み式プロセッサは、図４に示す機能を実行して接続を確立し、遠端の接続管理部に通知を行い（3a）、その接続をローカルに確認する（4a）。
3b:容量の要求が仮想経路制御機能上に渡される。これは、標準のATM網機能を用いて、遠端で容量の通知を行い（6b,7b）、近端では容量の確認を行って（4b,5b）、容量を変更する。
このように、本装置は、仮想回線の２つの終点のクロック間の差によって起こるタイミング・スリップ以上のタイミング・スリップを引き起こすことなく、ATM広域網内のAAL1  ｎ×64kb/s仮想回線の容量を調整するメカニズムを提供する。
なお、知識ベースのシステムを介して、あるいは、これらのパラメータの組合せより決定されるトラヒック履歴に基づいて、呼ごとにパス容量を制御するようにしてもよい。
【図１】
0003596896.tif 000002
【図２】
0003596896.tif 000003
【図３】
0003596896.tif 000004
【図４】
0003596896.tif 000005
【図５】
0003596896.tif 000006
【図７】
0003596896.tif 000007
【図６】
0003596896.tif 000008
【図８】
0003596896.tif 000009
【図９】
0003596896.tif 000010
【図１０】
0003596896.tif 000011